(57)【特許請求の範囲】
【請求項１】
側方に隣接する１対のパネル等の一方の上端部に固定した上向きコ字状のホルダの両側片間に、他方のパネル等の側端部に設けた係合部に係脱しうるフックを先端部に有する連結杆の基端部を枢着し、前記連結杆の中間部にレバーを枢着するとともに、該レバーの中間部側面に突設したピンを、前記ホルダの側片に形成した、他方のパネル等に向かって上向き傾斜する傾斜案内溝に係合させることにより、前記連結杆の係合部から離脱する方向への回動を阻止しうるようにしたことを特徴とするパネル等の連結装置。
【請求項２】
連結杆に、差込板を連結杆の長手方向に摺動自在に装着し、かつ他方のパネル等または連結杆が枢着されているホルダに、前記連結杆が係合部に係合した状態で、前記差込板を予め定めた方向に移動させることにより、差込板の一部が嵌合して、連結杆の係合部から離脱する方向への回動を阻止するようにした嵌合孔を設けた請求項１記載のパネル等の連結装置。
【請求項３】
隣接する１対のパネル等の互いに対向する側端の上部に、ホルダ、連結杆及びレバーを互いに向き合わせてそれぞれ設けるとともに、両ホルダに、相手方の連結杆のフックが係脱しうる係合部をそれぞれ設けた請求項１または２記載のパネル等の連結装置。
【請求項４】
各ホルダの対向する端部に、請求項２記載の嵌合孔を設けた請求項３記載のパネル等の連結装置。
【請求項５】
パネルの側端面に、複数の係合孔を上下方向に間隔をおいて穿設し、それらの係合孔の下縁を、それとほぼ等高をなすパネルの上端部に設けた連結杆のフックが係合する係合部とした請求項１または２記載のパネル等の連結装置。
【発明の詳細な説明】
【０００１】
【発明の属する技術分野】
本発明は、間仕切りパネル等のパネル同士、またはパネルと支柱等とを簡単かつ強固に連結する装置に関する。
【０００２】
【従来の技術】
この種の従来の連結装置としては、上端面の全長に溝を設けた間仕切パネル同士を、側端面同士を突き合せて、短冊形の連結板を両溝に掛け渡してねじ止めするようにしたものがある。
【０００３】
間仕切パネルを、支柱等を介してＬ字形あるいはＴ字形に連結する時は、短冊形の連結板に代えて、Ｌ字形あるいはＴ字形の連結板が用いられる。
【０００４】
しかし、上述の従来技術においては、連結前は間仕切パネルと連結板が別体であるため、部材の保管管理と使用現場における連結作業が面倒である。
【０００５】
また、本出願人の特許出願に係る特開平３−１２９０３０号公報には、緊締板の一方の端部に設けた第１フックを、対向する１対の間仕切パネルの一方に係止し、かつ緊締板の他方の端部にトグルリンクを介して連結した第２フックを、他方の間仕切パネルに係止した状態で、緊締板を水平位置まで倒伏させることにより、１対の間仕切パネルを緊締しうるようにしたパネルの連結装置が開示されている。
【０００６】
【発明が解決しようとする課題】
上記公報に開示されているパネルの連結装置は、連結作業が簡単であるという利点を有している反面、パネルの長さ、または第１、第２フックを係止する係合孔の位置等に若干の狂いがあると、トグルリンクにより的確に緊締できなくなるので、それらの寸法精度を高めなければならず、高精度の加工が要求されるという問題点がある。
【０００７】
本発明は、従来の技術が有する上記のような問題点に鑑み、パネル自体の寸法精度に左右されることなく、パネル同士等を常に確実に、かつ簡単に連結することができ、しかも連結部品の保管等の必要をなくしたパネル等の連結装置を提供することを目的としている。
【０００８】
【課題を解決するための手段】
本発明によると、上記課題は次のようにして解決される。
【０００９】
(１) 側方に隣接する１対のパネル等の一方の上端部に固定した上向きコ字状のホルダの両側片間に、他方のパネル等の側端部に設けた係合部に係脱しうるフックを先端部に有する連結杆の基端部を枢着し、前記連結杆の中間部にレバーを枢着するとともに、該レバーの中間部側面に突設したピンを、前記ホルダの側片に形成した、他方のパネル等に向かって上向き傾斜する傾斜案内溝に係合させることにより、前記連結杆の係合部から離脱する方向への回動を阻止しうるようにする。
【００１０】
(２) 上記(１)項において、連結杆に、差込板を連結杆の長手方向に摺動自在に装着し、かつ他方のパネル等または連結杆が枢着されているホルダに、前記連結杆が係合部に係合した状態で、前記差込板を予め定めた方向に移動させることにより、差込板の一部が嵌合して、連結杆の係合部から離脱する方向への回動を阻止するようにした嵌合孔を設ける。
【００１１】
(３) 上記(１)または(２)項において、隣接する１対のパネル等の互いに対向する側端の上部に、ホルダ、連結杆及びレバーを互いに向き合わせてそれぞれ設けるとともに、両ホルダに、相手方の連結杆のフックが係脱しうる係合部をそれぞれ設ける。
【００１２】
(４) 上記(３)項において、各ホルダの対向する端部に、上記(２)項の嵌合孔を設ける。
【００１３】
(５) 上記(１)または(２)項において、パネルの側端面に、複数の係合孔を上下方向に間隔をおいて穿設し、それらの係合孔の下縁を、それとほぼ等高をなすパネルの上端部に設けた連結杆のフックが係合する係合部とする。
【００１４】
【発明の実施の形態】
図１〜図８は、本発明の一実施例を示すもので、互いに隣接する左右１対の間仕切パネル(１)(１)の各々は、上端に左右方向の全長にわたる凹溝(２)が形成され、かつ両側端中央に上下方向を向く凸条(３)が形成されたパネル本体(４)と、その両側端の凸条(３)の端面に止めねじ(５)をもって止着された平面視ほぼＣ字状の縁材(６)とからなっている。
【００１５】
縁材(６)の上端には、凹溝(２)と連続する矩形の切欠き(７)が形成され、また縁材(６)の中央には、複数の縦長孔(８)が、上下方向に所要の間隔をもって穿設されている。
【００１６】
パネル本体(４)における凹溝(２)の底部を形成する水平板(９)の両端部中央には、矩形の切欠き(10)が形成されている。
【００１７】
各パネル本体(４)の左右の上端角部には、側面視がほぼ上向きコ字状をなすホルダ(11)が、その開口端部周縁に形成した張出し鍔部(11a)がパネル本体(４)と縁材(６)との間に形成された間隙(12)内に嵌合するようにして、凹溝(２)内に嵌合され、かつ止めねじ(13)をもって、パネル本体(４)の側端面及び水平板(９)に固着されている。
【００１８】
各ホルダ(11)は、底片(11b)と両側片(11c)とを備え、その開口端部側の外周に張出し鍔部(11a)が連設されている。底片(11b)の開口端部寄りには、係合孔(係合部)(14)が穿設されており、また両側片(11c)の上縁のほぼ中央には、他方の間仕切パネル(１)に向かって斜め上方に延出する腕部(11d)が連設されており、この腕部(11d)の下縁と各側片(11c)の上縁とにより、他方の間仕切パネル(１)に向かって拡開し、上縁が上向き傾斜する傾斜案内溝(15)が形成されている。
【００１９】
ホルダ(11)内には、それより長寸の連結杆(16)が嵌合され、その基端部が両側片(11c)間に枢軸(17)をもって枢着されている。
【００２０】
連結杆(16)の長さは、隣接する間仕切パネル(１)(１)同士を互いに突き合わせたとき、先端に設けた下向きのフック(16a)が、他方の間仕切パネル(１)側のホルダ(11)の係合孔(14)に係合しうるような長さとしている。
【００２１】
連結杆(16)の上面中央に形成した正面形が半円形の前後１対の枢支片(16b)間には、先端部に取手(18a)を有するレバー(18)の基端部が、前後方向を向く軸(19)をもって枢着されている。
【００２２】
レバー(18)の中間両側面には、軸(19)と平行をなすピン(18b)が突設されており、この両ピン(18b)を傾斜案内溝(15)の奥部に嵌入することにより、連結杆(16)を、ほぼ水平となってそのフック(16a)が他方の間仕切パネル(１)側の係合孔(14)に係合した状態から、係合孔(14)から離脱する方向への回動が阻止されるようになっている。
【００２３】
連結杆(16)の先端部上面には、先端部に連結杆(16)の前後方向の板厚、及びホルダ(11)の両側片(11c)間の間隔より大とした係合部(20a)を有する差込板(20)が、その中央に穿設した左右方向を向く長孔(21)に挿通した止めねじ(22)を連結杆(16)上面に螺着することにより、連結杆(16)の長手方向(左右方向)に摺動可能として装着されている。
【００２４】
この差込板(20)の係合部(20a)を、図７に実線で示すように、対向するホルダ(11)の開口端中位部に形成した切欠き(23)に係合させることにより、または図７に想像線で示すように、差込板(20)が装着されている方のホルダ(11)の開口端中位部に形成した切欠き(23)に係合させることにより、係合孔(14)に係合した連結杆(16)が係合孔(14)から離脱するのを阻止することができる。すなわち、レバー(18)と差込板(20)とにより、連結杆(16)の係合孔(14)からの離脱を二重に阻止することができる。
なお、場合によっては、この差込板(20)を省略して実施することもできる。
【００２５】
各間仕切パネル(１)を単独で収容したり運搬したりするときは、左右の連結杆(16)は、図４に示すように、ホルダ(11)より間仕切パネル(１)の内方に反転させて、すべて凹溝(２)内に収納しておく。
【００２６】
２枚の間仕切パネル(１)(１)同士を直線状に連結するには、それらの側端面同士を互いに突き合せた後、対向する一方の連結杆(16)を枢軸(17)を中心としてほぼ180°回転し、そのフック(16a)を、図８に示すように、相手方のホルダ(11)の係合孔(14)に係合させる。
【００２７】
次いで、図３に示すように、レバー(18)を引き起こし、さらに図２に示すように、レバー(18)と一体のピン(18b)をホルダ(11)の傾斜案内溝(15)の奥部まで係合させると、連結杆(16)の係合孔(14)からの離脱が阻止される。
【００２８】
その状態から、さらに、差込板(20)の係合部(20a)を、図７に示すように、右方(実線)または左方(想像線)に摺動させて、その係合部(20a)を右または左の切欠き(23)に係合させると、連結杆(16)の係合孔(14)からの離脱が二重に阻止され、両間仕切パネル(１)(１)の連結がより確実となる。
【００２９】
連結した間仕切パネル(１)(１)同士を分離するには、上述と逆に、まず差込板(20)を右方に摺動させて、その係合部(20a)を切欠き(23)から離脱させ、次いで、レバー(18)を図２における時計方向に回動し、ピン(18b)を傾斜案内溝(15)から離脱させ、最後に、連結杆(16)を上方にはね上げ、そのフック(16a)を係合孔(14)から離脱させればよい。
【００３０】
上述の実施例においては、隣接する１対の間仕切パネル(１)(１)の互いに対向する側端の上部に、ホルダ(11)、連結杆(16)、レバー(18)等を互いに向き合わせてそれぞれ設け、かつ各ホルダ(11)に、相手方の連結杆(16)のフック(16a)が係脱しうる係合孔(14)をそれぞれ設けたものとしたが、その一方のホルダ(11)、連結杆(16)、レバー(18)等を省略し、他方の連結杆(16)のフック(16a)が係脱しうる係合孔のみを、間仕切パネル(１)の一部に設けるか、または係合孔を穿設した係合板(図示略)を固着して実施してもよい。
【００３１】
また、隣接する間仕切パネル(１)(１)の高さが互いに異なる場合は、低い方の間仕切パネル(１)に装着した連結杆(16)のフック(16a)を、高い方の間仕切パネル(１)の縁材(６)に穿設したほぼ等高の縦長孔(８)の下縁に係合させて実施してもよい。
【００３２】
さらに、間仕切パネル(１)側に設けた連結杆(16)のフック(16a)を、支柱(図示略)の一側面に設けた上記の係合孔(14)または縦長孔(８)と同様の係合孔または縦長孔に係合させることにより、間仕切パネル(１)と支柱とを連結し、さらにその支柱の他の側面にも同様の構造により他の間仕切パネルを連結することにより、複数の間仕切パネルを、Ｌ字状、Ｔ字状、十字状等に連結することもできる。
また、本発明は、間仕切パネル以外のパネルの連結にも適用することができる。
【００３３】
【発明の効果】
本発明によると、次のような効果を奏することができる。
(ａ) 請求項１記載の発明によると、一方のパネル側に設けた連結杆のフックが、他方のパネル側の係合孔に係合した状態で、その連結杆が枢着されているホルダの傾斜案内溝と、連結杆に枢着されたレバーの中間部に設けたピンとの係合により、連結杆が係合孔から離脱するのを阻止するようにしたので、パネル自体の寸法精度や係合孔の位置精度等が多少悪くても、連結杆が係合孔から脱落するのを確実に阻止することができ、常に安定した連結を果たすことができる。
【００３４】
(ｂ) また、連結杆等の必要な部品は、すべてパネルに最初から装着しておくことができるので、部品の保管に気をくばる必要がないだけでなく、部品が紛失するおそれがなく、また、ねじ止め作業を行なうことなく、簡単かつ迅速に連結作業を行なうことができる。
【００３５】
(ｃ) 請求項２記載の発明によると、連結杆が係合孔から離脱するのをより強力に阻止することができる。
【００３６】
(ｄ) 請求項３記載の発明によると、隅部、中間部、Ｌ字形その他の交差部等に用いるパネルをすべて共通のものとすることができるとともに、パネル自体に特別の加工を施す必要がなく、生産性が向上する。
【００３７】
(ｅ) 請求項４記載の発明によると、嵌合孔をパネル自体に加工する必要がなく、生産性が向上する。
【００３８】
(ｆ) 請求項５記載の発明によると、高さの異なるパネル同士を、またはパネルと支柱等との連結が可能になる。
【図面の簡単な説明】
【図１】本発明の一実施例の要部の分解斜視図である。
【図２】同じく連結時の要部の縦断正面図である。
【図３】同じく連結解除途中の図２と同様の部分の縦断正面図である。
【図４】同じく連結解除時の図２と同様の部分の縦断正面図である。
【図５】同じくレバーの正面図である。
【図６】同じく平面図である。
【図７】両間仕切パネル連結時の要部拡大横断平面図である。
【図８】同じく分離時の要部拡大横断平面図である。
【符号の説明】
(１)間仕切パネル
(２)凹溝
(３)凸条
(４)パネル本体
(５)止めねじ
(６)縁材
(７)切欠き
(８)縦長孔(係合部)
(９)水平板
(10)切欠き
(11)ホルダ
(11a)張出し鍔部
(11b)底片
(11c)側片
(11d)腕部
(12)間隙
(13)止めねじ
(14)係合孔(係合部)
(15)傾斜案内溝
(16)連結杆
(16a)フック
(16b)枢支片
(17)枢軸
(18)レバー
(18a)取手
(18b)ピン
(19)軸
(20)差込板
(20a)係合部
(21)長孔
(22)止めねじ
(23)切欠き
【図１】
0003693076.tif 000002
【図２】
0003693076.tif 000003
【図３】
0003693076.tif 000004
【図４】
0003693076.tif 000005
【図５】
0003693076.tif 000006
【図６】
0003693076.tif 000007
【図７】
0003693076.tif 000008
【図８】
0003693076.tif 000009